(57)【要約】      （修正有）【課題】放送局間におけるデジタル放送の受信切り替えをスムーズかつシームレスに行い、別の放送装置が受信可能であることを通知できるデジタル放送受信装置を提供する。【解決手段】同一のサービスを放送する第１の物理周波数帯域と第２の物理周波数帯域とを示す情報を、同一のチャンネル番号に対応付けて格納する記憶部と、表示部と、第１の物理周波数帯域を示す情報に基づいてデジタル放送を受信している際に、当該デジタル放送の受信品質が劣化すると、第１の物理周波数帯域のチャンネル番号に対応付けられた、記憶部に格納されている第２の物理周波数帯域を示す情報に基づいて、デジタル放送の受信を試行し、該受信に成功した場合は、第２の物理周波数帯域でデジタル放送を受信している旨を前記表示部に表示するように制御する制御部とを具えることを特徴とする。【選択図】図４
2008289020.tif 000002
【特許請求の範囲】
【請求項１】
同一のサービスを第１の物理周波数帯域と第２の物理周波数帯域とで放送すると共に、前記第２の物理周波数帯域では、前記サービスとは異なるサービスを放送しているデジタル放送システムのデジタル放送受信装置であって、
同一のサービスを放送する前記第１の物理周波数帯域と前記第２の物理周波数帯域とを示す情報を、同一のチャンネル番号に対応付けて格納する記憶部と、
表示部と、
前記第１の物理周波数帯域を示す情報に基づいてデジタル放送を受信している際に、当該デジタル放送の受信品質が劣化すると、前記第１の物理周波数帯域のチャンネル番号に対応付けられた、前記記憶部に格納されている前記第２の物理周波数帯域を示す情報に基づいて、デジタル放送の受信を試行し、該受信に成功した場合は、前記第２の物理周波数帯域でデジタル放送を受信している旨を前記表示部に表示するように制御する制御部と、
を具えることを特徴とするデジタル放送受信装置。
【請求項２】
請求項１に記載のデジタル放送受信装置において、
前記物理周波数帯域は、物理チャンネルである、
ことを特徴とするデジタル放送受信装置。
【請求項３】
請求項１に記載のデジタル放送受信装置において、
前記物理周波数帯域は、ＯＦＤＭセグメントを示す情報である、
ことを特徴とするデジタル放送受信装置。
【請求項４】
同一のサービスを第１の物理周波数帯域と第２の物理周波数帯域とで放送すると共に、前記第２の物理周波数帯域では、前記サービスとは異なるサービスを放送しているデジタル放送システムのデジタル放送受信装置であって、
同一のサービスを放送する前記第１の物理周波数帯域と前記第２の物理周波数帯域とを示す情報を、同一のチャンネル番号に対応付けて格納する記憶部と、
デジタル放送を受信するたびに、該受信に対応する物理周波数帯域を示す情報を記録する記録部と、
表示部と、
デジタル放送の受信を終了してから新たにデジタル放送の受信を開始する際に、前記記録部に記録されている情報が、前記第２の物理周波数帯域を示している場合は、該第２の物理周波数帯域を示す情報に基づいてデジタル放送を受信するように制御すると共に、該受信に成功した場合は、前記第２の物理周波数帯域でデジタル放送を受信している旨を前記表示部に表示するように制御する制御部と、
を具えることを特徴とするデジタル放送受信装置。
【請求項５】
請求項４に記載のデジタル放送装置において、
前記制御部が、
前記記録部に記録されている情報が、前記第１の物理周波数帯域を示している場合は、該第１の物理周波数帯域を示す情報に基づいてデジタル放送を受信するように制御すると共に、該受信制御により所定の受信品質が得られない場合は、前記第１の物理周波数帯域のチャンネル番号に対応付けられた前記第２の物理周波数を示す情報に基づいてデジタル放送を受信するように制御する、
ことを特徴とするデジタル放送受信装置。
【請求項６】
請求項４または５に記載のデジタル放送受信装置において、
前記物理周波数帯域は、物理チャンネルである、
ことを特徴とするデジタル放送受信装置。
【請求項７】
請求項４または５に記載のデジタル放送受信装置において、
前記物理周波数帯域は、ＯＦＤＭセグメントを示す情報である、
ことを特徴とするデジタル放送受信装置。
【請求項８】
同一のサービスを第１の物理周波数帯域と第２の物理周波数帯域とで放送すると共に、前記第２の物理周波数帯域では、前記サービスとは異なるサービスを放送しているデジタル放送システムのデジタル放送受信装置であって、
同一のサービスを放送する前記第１の物理周波数帯域と前記第２の物理周波数帯域とを示す情報を、同一のチャンネル番号に対応付けて格納する記憶部と、
表示部と、
前記第１の物理周波数帯域で放送しているデジタル放送を受信している際に、当該第１の物理周波数帯域のチャンネル番号に対応付けられた前記記憶部に格納されている前記第２の物理周波数帯域を示す情報に基づいてデジタル放送を受信する指示を検出すると、前記第２の物理周波数帯域を示す情報に基づいてデジタル放送を受信するように制御すると共に、該受信に成功した場合は、前記第２の物理周波数帯域でデジタル放送を受信している旨を前記表示部に表示するように制御する制御部と、
を具えることを特徴とするデジタル放送受信装置。
【請求項９】
請求項８に記載のデジタル放送受信装置において、
前記制御部が、
前記指示に基づいて、前記第１の物理周波数帯域を示す情報に基づいて受信したデジタル放送の表示から、前記第２の物理周波数帯域を示す情報に基づいて受信したデジタル放送の表示へ切り替えるように前記表示部を制御する、
ことを特徴とするデジタル放送受信装置。
【請求項１０】
請求項８または９に記載のデジタル放送受信装置において、
前記物理周波数帯域は、物理チャンネルである、
ことを特徴とするデジタル放送受信装置。
【請求項１１】
請求項８または９に記載のデジタル放送受信装置において、
前記物理周波数帯域は、ＯＦＤＭセグメントを示す情報である、
ことを特徴とするデジタル放送受信装置。
【請求項１２】
同一のサービスを第１の物理周波数帯域と第２の物理周波数帯域とで放送すると共に、前記第２の物理周波数帯域では、前記サービスとは異なるサービスを放送しているデジタル放送システムのデジタル放送受信装置であって、
同一のサービスを放送する前記第１の物理周波数帯域と前記第２の物理周波数帯域とを示す情報を、同一のチャンネル番号に対応付けて格納する記憶部と、
デジタル放送を受信するたびに、該受信に対応する物理周波数帯域を示す情報を記録する記録部と、
表示部と、
デジタル放送の受信を終了してから新たにデジタル放送の受信を開始する際に、前記記録部に記録されている情報が、前記第１の物理周波数帯域を示している場合は、該第１の物理周波数帯域を示す情報に基づいてデジタル放送を受信するように制御すると共に、前記第１の物理周波数帯域のチャンネル番号に対応付けられた前記記憶部に格納している前記第２の物理周波数帯域を示す情報に基づいてデジタル放送を受信するように制御し、前記第２の物理周波数帯域を示す情報に基づいてデジタル放送を受信した場合、前記第２の物理周波数帯域でデジタル放送を受信することが可能である旨を前記表示部に表示するように制御する制御部と、
を具えることを特徴とするデジタル放送受信装置。
【請求項１３】
請求項１２に記載のデジタル放送受信装置において、
前記物理周波数帯域は、物理チャンネルである、
ことを特徴とするデジタル放送受信装置。
【請求項１４】
請求項１２に記載のデジタル放送受信装置において、
前記物理周波数帯域は、ＯＦＤＭセグメントを示す情報である、
ことを特徴とするデジタル放送受信装置。
【請求項１５】
同一のサービスを第１の物理周波数帯域と第２の物理周波数帯域とで放送すると共に、前記第２の物理周波数帯域では、前記サービスとは異なるサービスを放送しているデジタル放送システムのデジタル放送受信装置であって、
同一のサービスを放送する前記第１の物理周波数帯域と前記第２の物理周波数帯域とを示す情報を、同一のチャンネル番号に対応付けて格納する記憶部と、
表示部と、
前記第１の物理周波数帯域で放送しているデジタル放送を受信している際に、当該第１の物理周波数帯域のチャンネル番号に対応付けられた前記記憶部に格納されている前記第２の物理周波数帯域を示す情報に基づいてデジタル放送を受信する指示を検出すると、前記第２の物理周波数帯域を示す情報に基づいてデジタル放送を受信するように制御すると共に、該受信に成功した場合は、前記第２の物理周波数帯域でデジタル放送を受信することが可能である旨を前記表示部に表示するように制御する制御部と、
を具えることを特徴とするデジタル放送受信装置。
【請求項１６】
請求項１５に記載のデジタル放送受信装置において、
前記制御部が、
前記指示を検出しても、前記第１の物理周波数帯域を示す情報に基づいて受信したデジタル放送の表示を維持するように前記表示部を制御する、
ことを特徴とするデジタル放送受信装置。
【請求項１７】
請求項１５または１６に記載のデジタル放送受信装置において、
前記物理周波数帯域は、物理チャンネルである、
ことを特徴とするデジタル放送受信装置。
【請求項１８】
請求項１５または１６に記載のデジタル放送受信装置において、
前記物理周波数帯域は、ＯＦＤＭセグメントを示す情報である、
ことを特徴とするデジタル放送受信装置。
【請求項１９】
同一のサービスを、第１の放送装置が第１の物理周波数で放送し、第２の放送装置が第２の物理周波数で放送すると共に、前記第２の放送装置では、前記サービスとは異なるサービスを放送しているデジタル放送システムのデジタル放送受信装置であって、
同一のサービスを放送する前記第１の物理周波数と前記第２の物理周波数とを示す情報を、同一のチャンネル番号に対応付けて格納する記憶部と、
表示部と、
前記第１の放送装置のデジタル放送を受信している際に、当該デジタル放送の受信品質が劣化すると、前記第１の物理周波数のチャンネル番号に対応付けられた、前記記憶部に格納されている前記第２の物理周波数を示す情報に基づいて、デジタル放送の受信を試行し、該受信に成功した場合は、前記第２の放送装置のデジタル放送を受信している旨を前記表示部に表示するように制御する制御部と、
を具えることを特徴とするデジタル放送受信装置。
【請求項２０】
請求項１９に記載のデジタル放送受信装置において、
前記物理周波数は、物理チャンネルである、
ことを特徴とするデジタル放送受信装置。
【請求項２１】
請求項２０に記載のデジタル放送受信装置において、
前記物理周波数は、ＯＦＤＭセグメントを示す情報である、
ことを特徴とするデジタル放送受信装置。
【請求項２２】
同一のサービスを、第１の放送装置が第１の物理周波数で放送し、第２の放送装置が第２の物理周波数で放送すると共に、前記第２の放送装置では、前記サービスとは異なるサービスを放送しているデジタル放送システムのデジタル放送受信装置であって、
同一のサービスを放送する前記第１の物理周波数と前記第２の物理周波数とを示す情報を、同一のチャンネル番号に対応付けて格納する記憶部と、
デジタル放送を受信するたびに、該受信に対応する物理周波数を示す情報を記録する記録部と、
表示部と、
デジタル放送の受信を終了してから新たにデジタル放送の受信を開始する際に、前記記録部に記録されている情報が、前記第２の物理周波数を示している場合は、該第２の物理周波数を示す情報に基づいてデジタル放送を受信するように制御すると共に、該受信に成功した場合は、前記第２の放送装置のでデジタル放送を受信している旨を前記表示部に表示するように制御する制御部と、
を具えることを特徴とするデジタル放送受信装置。
【請求項２３】
請求項２２に記載のデジタル放送受信装置において、
前記制御部が、
前記記録部に記録されている情報が、前記第１の物理周波数を示している場合は、該第１の物理周波数を示す情報に基づいてデジタル放送を受信するように制御すると共に、該受信制御により所定の受信品質が得られない場合は、前記第１の物理周波数のチャンネル番号に対応付けられた前記第２の物理周波数を示す情報に基づいてデジタル放送を受信するように制御する、
ことを特徴とするデジタル放送受信装置。
【請求項２４】
請求項２２または２３に記載のデジタル放送受信装置において、
前記物理周波数は、物理チャンネルである、
ことを特徴とするデジタル放送受信装置。
【請求項２５】
請求項２２または２３に記載のデジタル放送受信装置において、
前記物理周波数は、ＯＦＤＭセグメントを示す情報である、
ことを特徴とするデジタル放送受信装置。
【請求項２６】
同一のサービスを、第１の放送装置が第１の物理周波数で放送し、第２の放送装置が第２の物理周波数で放送すると共に、前記第２の放送装置では、前記サービスとは異なるサービスを放送しているデジタル放送システムのデジタル放送受信装置であって、
同一のサービスを放送する前記第１の物理周波数と前記第２の物理周波数とを示す情報を、同一のチャンネル番号に対応付けて格納する記憶部と、
表示部と、
前記第１の放送装置のデジタル放送を受信している際に、前記第２の放送装置のデジタル放送を受信する指示を検出すると、前記第１の物理周波数のチャンネル番号に対応付けられた前記記憶部に格納されている前記第２の物理周波数を示す情報に基づいてデジタル放送を受信するように制御すると共に、該受信に成功した場合は、前記第２の放送装置でデジタル放送を受信している旨を前記表示部に表示するように制御する制御部と、
を具えることを特徴とするデジタル放送受信装置。
【請求項２７】
請求項２６に記載のデジタル放送受信装置において、
前記制御部が、
前記指示に基づいて、前記第１の放送装置から受信したデジタル放送の表示から、前記第２の放送装置から受信したデジタル放送の表示へ切り替えるように前記表示部を制御する、
ことを特徴とするデジタル放送受信装置。
【請求項２８】
請求項２６または２７に記載のデジタル放送受信装置において、
前記物理周波数は、物理チャンネルである、
ことを特徴とするデジタル放送受信装置。
【請求項２９】
請求項２６または２７に記載のデジタル放送受信装置において、
前記物理周波数は、ＯＦＤＭセグメントを示す情報である、
ことを特徴とするデジタル放送受信装置。
【請求項３０】
同一のサービスを、第１の放送装置が第１の物理周波数で放送し、第２の放送装置が第２の物理周波数で放送すると共に、前記第２の放送装置では、前記サービスとは異なるサービスを放送しているデジタル放送システムのデジタル放送受信装置であって、
同一のサービスを放送する前記第１の物理周波数と前記第２の物理周波数とを示す情報を、同一のチャンネル番号に対応付けて格納する記憶部と、
デジタル放送を受信するたびに、該受信に対応する物理周波数を示す情報を記録する記録部と、
表示部と、
デジタル放送の受信を終了してから新たにデジタル放送の受信を開始する際に、前記記録部に記録されている情報が、前記第１の物理周波数を示している場合は、該第１の物理周波数を示す情報に基づいてデジタル放送を受信するように制御すると共に、前記第１の物理周波数のチャンネル番号に対応付けられた前記記憶部に格納している前記第２の物理周波数を示す情報に基づいてデジタル放送を受信するように制御し、前記第２の物理周波数を示す情報に基づいてデジタル放送を受信した場合、前記第２の放送装置でデジタル放送を受信することが可能である旨を前記表示部に表示するように制御する制御部と、
を具えることを特徴とするデジタル放送受信装置。
【請求項３１】
請求項３０に記載のデジタル放送受信装置において、
前記物理周波数は、物理チャンネルである、
ことを特徴とするデジタル放送受信装置。
【請求項３２】
請求項３０に記載のデジタル放送受信装置において、
前記物理周波数は、ＯＦＤＭセグメントを示す情報である、
ことを特徴とするデジタル放送受信装置。
【請求項３３】
同一のサービスを、第１の放送装置が第１の物理周波数で放送し、第２の放送装置が第２の物理周波数で放送すると共に、前記第２の放送装置では、前記サービスとは異なるサービスを放送しているデジタル放送システムのデジタル放送受信装置であって、
同一のサービスを放送する前記第１の物理周波数と前記第２の物理周波数とを示す情報を、同一のチャンネル番号に対応付けて格納する記憶部と、
表示部と、
前記第１の放送装置のデジタル放送を受信している際に、前記第２の放送装置のデジタル放送を受信する指示を検出すると、前記第１の物理周波数のチャンネル番号に対応付けられた前記記憶部に格納されている前記第２の物理周波数を示す情報に基づいてデジタル放送を受信するように制御すると共に、該受信に成功した場合は、前記第２の放送装置でデジタル放送を受信することが可能である旨を前記表示部に表示するように制御する制御部と、
を具えることを特徴とするデジタル放送受信装置。
【請求項３４】
請求項３３に記載のデジタル放送受信装置において、
前記制御部が、
前記指示を検出しても、前記第１の放送装置のデジタル放送の表示を維持するように前記表示部を制御する、
ことを特徴とするデジタル放送受信装置。
【請求項３５】
請求項３３または３４に記載のデジタル放送受信装置において、
前記物理周波数は、物理チャンネルである、
ことを特徴とするデジタル放送受信装置。
【請求項３６】
請求項３３または３４に記載のデジタル放送受信装置において、
前記物理周波数は、ＯＦＤＭセグメントを示す情報である、
ことを特徴とするデジタル放送受信装置。
【発明の詳細な説明】
【技術分野】
【０００１】
本発明は、デジタルテレビジョン放送やデジタル音声放送などのデジタル放送システムのデジタル放送受信装置に関するものである。
【背景技術】
【０００２】
日本国において運用されている地上デジタルテレビジョン放送は、ＩＳＤＢ−Ｔ（Integrated Services Digital Broadcasting for Terrestrial）方式と呼ばれ、ＯＦＤＭ(Orthogonal Frequency Division Multiplexing)変調方式を採用している。このＩＳＤＢ−Ｔ方式は、一つのチャンネルの伝送帯域を１３個のセグメントに分割し、そのうちの１個のセグメント（中央のセグメント番号０）を、携帯電話機やＰＤＡ（Personal Digital Assistant）などの携帯端末用の地上デジタル放送、いわゆる１セグ放送に割り当てている。
【０００３】
近年、上述したようなデジタル放送を視聴する機能を搭載した携帯端末が普及してきている。デジタル放送は、地区により放送されている放送局、チャンネル、或いは番組が変わることが多い。携帯端末のデジタル放送受信機能を利用している際には、その性質上、ユーザが携帯端末を携行して移動することが多く、放送地区をまたぐ機会が往々にしてある。また、郊外から都市に通勤・通学しているユーザなどは、在宅時と職場・学校において異なる放送エリアとなることも多い。そのような状況になった場合、従来の携帯端末は受信不可能な旨を示す。或いは、チャンネルスキャンを開始し、系列局が見つかった場合には系列局のチャンネルに選局して受信動作を行う。このようなチャンネルスキャンは、数秒以上の時間が掛かりユーザにストレスを感じさせる。また、スキャンに成功して系列局を受信したとしても、同一番組が放送されていない恐れもある。そこで、チャンネルスキャンの所要時間を短縮化するために、選局の制御手法を改善する従来技術が、多数提案されている（例えば、特許文献１を参照されたい。）。
【０００４】
また、上記のＩＳＤＢ−Ｔ方式を採用する放送装置として、最近では、例えば、複数の放送局のデジタル放送波を受信して、それぞれ１セグ放送を抜き出し、それらを連結して上記の放送局のチャンネルとは異なる所定のチャンネルで再送信するようにした放送装置が提案されている（例えば、特許文献２参照）。また、放送局のデジタル放送波から抜き出した１セグ放送に加えて、独自コンテンツのを連結して、所定のチャンネルで送信するように構成した放送装置も提案されている。
【０００５】
【特許文献１】特開２００３−０３２５６２２号公報
【特許文献２】特開２００６−１０９２８３号公報
【発明の開示】
【発明が解決しようとする課題】
【０００６】
上記の特許文献１の技術は、チャンネルスキャンの時間を多少低減できるが、チャンネルスキャン処理を行うことは必須であるため、ユーザがストレスを感じなくなる程度まで時間を短縮することは難しい。また、特許文献１の技術もそうであるが、基本的に据え置き型のデジタル放送受信装置を対象とした技術であるため、受信装置が移動して受信状態や受信している放送局が変化した状況に対応することはできない。また、ギャップフィラーやスポット的な形式の放送装置には独自放送と呼ばれるその装置固有のの放送が存在することがある。従来技術のようにスキャンして系列局を見付けるだけでは、独自放送の存在に気付かない。ユーザ自身が独自放送を探す行動を起こさなければならない。また、番組表を表示させる際にも、独自チャンネル（独自放送）のものを表示させることは困難である。
【０００７】
さらに、上記の特許文献２に記載のように、所定のチャンネルの各セグメントを１セグ放送で構成して放送する場合には、放送地域が変わると、サービスのセグメント配置が変わることが考えられる。特に、上述した既存のサービスに独自コンテンツを追加して放送する場合には、放送地域が変わると、独自コンテンツやそのセグメント配置が変わる可能性が高くなる。
【０００８】
このため、当該チャンネルにおけるサービスのセグメント配置をユーザが把握して、所望の１セグ放送を部分受信するには、当該チャンネルの放送局のウェブサイトにアクセスして、サービスのセグメント配置情報を取得したり、電子メールを経由して通知してもらったり、或いは、当該チャンネルのセグメントをスキャンして、サービスのセグメント配置を把握したりする必要がある。また、仮に、放送中のセグメントの配置を把握できたとしても、どのセグメントでどのようなサービス（番組）が放送されているかを把握することができないという問題がある。また、地上デジタル放送と同じ番組（サービス）が他の放送で放送されているとともに、同一サービスを放送している周波数帯や放送装置が独自放送を行っているシステムの場合、受信装置がどちらの番組を受信しているのかが判断できないという問題もある。これにより、独自放送が受信できるか否かも判断できない問題にもつながる。
【０００９】
しかしながら、放送局のウェブサイトからサービスのセグメント配置情報を取得するには、取得毎に放送局のウェブサイトにアクセスする必要があるため、取得に時間がかかるとともに、通信費がかかることが懸念される。また、チャンネル内のセグメントをスキャンしてサービスのセグメント配置情報を把握する場合には、全てのサービスのセグメント配置情報を把握するのに、時間がかかることが懸念される。
【００１０】
また、上記技術に限らず、所定のチャンネルにおいて、独自コンテンツのみを（連結）して放送することも考えられる。しかし、この場合においても、当該チャンネルにおけるサービスのセグメント配置を把握するには、上述した場合と同様に、当該チャンネルの放送局のウェブサイトにアクセスしたり、当該チャンネルのセグメントをスキャンしたりする必要があるため、同様の問題が生じることになる。
【００１１】
また、ＩＳＤＢ−Ｔｓｂ（ISDB for Terrestrial Sound Broadcasting）を採用する地上デジタル音声放送においても、放送地域に応じて、サービスのセグメント配置を変更したり、独自コンテンツを追加したりすることが考えられるが、これらの場合にも、同様の問題が生じることになる。
【００１２】
即ち、従来のデジタル放送技術は、放送装置や周波数配置の多様化のために、或る放送局の受信から、別の放送局（ギャップフィラーや別の地区の放送局など）の受信への切り替えをスムーズかつシームレスに行うことが極めて困難であった。
【００１３】
従って、かかる事情に鑑みてなされた本発明の目的は、多種多様な放送局間におけるデジタル放送の受信切り替えをスムーズかつシームレスに行ったり、別の放送装置や周波数帯域などで受信可能であることを通知したりすることができるデジタル放送受信装置を提供することである。
【課題を解決するための手段】
【００１４】
上述した諸課題を解決すべく、本発明によるデジタル放送受信装置は、
同一のサービスを第１の物理周波数帯域と第２の物理周波数帯域とで放送すると共に、前記第２の物理周波数帯域では、前記サービスとは異なるサービスを放送しているデジタル放送システムのデジタル放送受信装置であって、
同一のサービスを放送する前記第１の物理周波数帯域と前記第２の物理周波数帯域とを示す情報を、同一のチャンネル番号に対応付けて格納する記憶部と、
表示部と、
前記第１の物理周波数帯域を示す情報に基づいてデジタル放送を受信している際に、当該デジタル放送の受信品質が劣化すると、前記第１の物理周波数帯域のチャンネル番号に対応付けられた、前記記憶部に格納されている前記第２の物理周波数帯域を示す情報に基づいて、デジタル放送の受信を試行し、該受信に成功した場合は、前記第２の物理周波数帯域でデジタル放送を受信している旨を前記表示部に表示するように制御する制御部と、
を具えることを特徴とする。
【００１５】
また、本発明の一実施態様によるデジタル放送受信装置は、
同一のサービスを第１の物理周波数帯域と第２の物理周波数帯域とで放送すると共に、前記第２の物理周波数帯域では、前記サービスとは異なるサービスを放送しているデジタル放送システムのデジタル放送受信装置であって、
同一のサービスを放送する前記第１の物理周波数帯域と前記第２の物理周波数帯域とを示す情報を、同一のチャンネル番号に対応付けて格納する記憶部と、
デジタル放送を受信するたびに、該受信に対応する物理周波数帯域を示す情報を記録する記録部と、
表示部と、
デジタル放送の受信を終了してから新たにデジタル放送の受信を開始する際に、前記記録部に記録されている情報が、前記第２の物理周波数帯域を示している場合は、該第２の物理周波数帯域を示す情報に基づいてデジタル放送を受信するように制御すると共に、該受信に成功した場合は、前記第２の物理周波数帯域でデジタル放送を受信している旨を前記表示部に表示するように制御する制御部と、
を具えることを特徴とする。
【００１６】
また、本発明の別の実施態様によるデジタル放送受信装置は、
前記制御部が、
前記記録部に記録されている情報が、前記第１の物理周波数帯域を示している場合は、該第１の物理周波数帯域を示す情報に基づいてデジタル放送を受信するように制御すると共に、該受信制御により所定の受信品質が得られない場合は、前記第１の物理周波数帯域のチャンネル番号に対応付けられた前記第２の物理周波数を示す情報に基づいてデジタル放送を受信するように制御する、
ことを特徴とする。
【００１７】
また、本発明のさらに別の実施態様によるデジタル放送受信装置は、
同一のサービスを第１の物理周波数帯域と第２の物理周波数帯域とで放送すると共に、前記第２の物理周波数帯域では、前記サービスとは異なるサービスを放送しているデジタル放送システムのデジタル放送受信装置であって、
同一のサービスを放送する前記第１の物理周波数帯域と前記第２の物理周波数帯域とを示す情報を、同一のチャンネル番号に対応付けて格納する記憶部と、
表示部と、
前記第１の物理周波数帯域で放送しているデジタル放送を受信している際に、当該第１の物理周波数帯域のチャンネル番号に対応付けられた前記記憶部に格納されている前記第２の物理周波数帯域を示す情報に基づいてデジタル放送を受信する指示を検出すると、前記第２の物理周波数帯域を示す情報に基づいてデジタル放送を受信するように制御すると共に、該受信に成功した場合は、前記第２の物理周波数帯域でデジタル放送を受信している旨を前記表示部に表示するように制御する制御部と、
を具えることを特徴とする。
【００１８】
また、本発明のさらなる実施態様によるデジタル放送受信装置は、
前記制御部が、
前記指示に基づいて、前記第１の物理周波数帯域を示す情報に基づいて受信したデジタル放送の表示から、前記第２の物理周波数帯域を示す情報に基づいて受信したデジタル放送の表示へ切り替えるように前記表示部を制御する、
ことを特徴とする。
【００１９】
また、本発明のさらなる実施態様によるデジタル放送受信装置は、
同一のサービスを第１の物理周波数帯域と第２の物理周波数帯域とで放送すると共に、前記第２の物理周波数帯域では、前記サービスとは異なるサービスを放送しているデジタル放送システムのデジタル放送受信装置であって、
同一のサービスを放送する前記第１の物理周波数帯域と前記第２の物理周波数帯域とを示す情報を、同一のチャンネル番号に対応付けて格納する記憶部と、
デジタル放送を受信するたびに、該受信に対応する物理周波数帯域を示す情報を記録する記録部と、
表示部と、
デジタル放送の受信を終了してから新たにデジタル放送の受信を開始する際に、前記記録部に記録されている情報が、前記第１の物理周波数帯域を示している場合は、該第１の物理周波数帯域を示す情報に基づいてデジタル放送を受信するように制御すると共に、前記第１の物理周波数帯域のチャンネル番号に対応付けられた前記記憶部に格納している前記第２の物理周波数帯域を示す情報に基づいてデジタル放送を受信するように制御し、前記第２の物理周波数帯域を示す情報に基づいてデジタル放送を受信した場合、前記第２の物理周波数帯域でデジタル放送を受信することが可能である旨を前記表示部に表示するように制御する制御部と、
を具えることを特徴とする。
【００２０】
また、本発明のさらなる実施態様によるデジタル放送受信装置は、
同一のサービスを第１の物理周波数帯域と第２の物理周波数帯域とで放送すると共に、前記第２の物理周波数帯域では、前記サービスとは異なるサービスを放送しているデジタル放送システムのデジタル放送受信装置であって、
同一のサービスを放送する前記第１の物理周波数帯域と前記第２の物理周波数帯域とを示す情報を、同一のチャンネル番号に対応付けて格納する記憶部と、
表示部と、
前記第１の物理周波数帯域で放送しているデジタル放送を受信している際に、当該第１の物理周波数帯域のチャンネル番号に対応付けられた前記記憶部に格納されている前記第２の物理周波数帯域を示す情報に基づいてデジタル放送を受信する指示を検出すると、前記第２の物理周波数帯域を示す情報に基づいてデジタル放送を受信するように制御すると共に、該受信に成功した場合は、前記第２の物理周波数帯域でデジタル放送を受信することが可能である旨を前記表示部に表示するように制御する制御部と、
を具えることを特徴とする。
【００２１】
また、本発明のさらなる実施態様によるデジタル放送受信装置は、
前記制御部が、
前記指示を検出しても、前記第１の物理周波数帯域を示す情報に基づいて受信したデジタル放送の表示を維持するように前記表示部を制御する、
ことを特徴とする。
【００２２】
また、前記物理周波数帯域を、物理チャンネルとすることが好適である。或いは、前記物理周波数帯域を、ＯＦＤＭセグメントを示す情報とすることが好適である。
【００２３】
また、本発明の別の実施態様によるデジタル放送受信装置は、
同一のサービスを、第１の放送装置が第１の物理周波数で放送し、第２の放送装置が第２の物理周波数で放送すると共に、前記第２の放送装置では、前記サービスとは異なるサービスを放送しているデジタル放送システムのデジタル放送受信装置であって、
同一のサービスを放送する前記第１の物理周波数と前記第２の物理周波数とを示す情報を、同一のチャンネル番号に対応付けて格納する記憶部と、
表示部と、
前記第１の放送装置のデジタル放送を受信している際に、当該デジタル放送の受信品質が劣化すると、前記第１の物理周波数のチャンネル番号に対応付けられた、前記記憶部に格納されている前記第２の物理周波数を示す情報に基づいて、デジタル放送の受信を試行し、該受信に成功した場合は、前記第２の放送装置のデジタル放送を受信している旨を前記表示部に表示するように制御する制御部と、
を具えることを特徴とする。
【００２４】
また、本発明のさらなる実施態様によるデジタル放送受信装置は、
同一のサービスを、第１の放送装置が第１の物理周波数で放送し、第２の放送装置が第２の物理周波数で放送すると共に、前記第２の放送装置では、前記サービスとは異なるサービスを放送しているデジタル放送システムのデジタル放送受信装置であって、
同一のサービスを放送する前記第１の物理周波数と前記第２の物理周波数とを示す情報を、同一のチャンネル番号に対応付けて格納する記憶部と、
デジタル放送を受信するたびに、該受信に対応する物理周波数を示す情報を記録する記録部と、
表示部と、
デジタル放送の受信を終了してから新たにデジタル放送の受信を開始する際に、前記記録部に記録されている情報が、前記第２の物理周波数を示している場合は、該第２の物理周波数を示す情報に基づいてデジタル放送を受信するように制御すると共に、該受信に成功した場合は、前記第２の放送装置のでデジタル放送を受信している旨を前記表示部に表示するように制御する制御部と、
を具えることを特徴とする。
【００２５】
また、本発明のさらなる実施態様によるデジタル放送受信装置は、
前記制御部が、
前記記録部に記録されている情報が、前記第１の物理周波数を示している場合は、該第１の物理周波数を示す情報に基づいてデジタル放送を受信するように制御すると共に、該受信制御により所定の受信品質が得られない場合は、前記第１の物理周波数のチャンネル番号に対応付けられた前記第２の物理周波数を示す情報に基づいてデジタル放送を受信するように制御する、
ことを特徴とする。
【００２６】
また、本発明のさらなる実施態様によるデジタル放送受信装置は、
同一のサービスを、第１の放送装置が第１の物理周波数で放送し、第２の放送装置が第２の物理周波数で放送すると共に、前記第２の放送装置では、前記サービスとは異なるサービスを放送しているデジタル放送システムのデジタル放送受信装置であって、
同一のサービスを放送する前記第１の物理周波数と前記第２の物理周波数とを示す情報を、同一のチャンネル番号に対応付けて格納する記憶部と、
表示部と、
前記第１の放送装置のデジタル放送を受信している際に、前記第２の放送装置のデジタル放送を受信する指示を検出すると、前記第１の物理周波数のチャンネル番号に対応付けられた前記記憶部に格納されている前記第２の物理周波数を示す情報に基づいてデジタル放送を受信するように制御すると共に、該受信に成功した場合は、前記第２の放送装置でデジタル放送を受信している旨を前記表示部に表示するように制御する制御部と、
を具えることを特徴とする。
【００２７】
また、本発明のさらなる実施態様によるデジタル放送受信装置は、
前記制御部が、
前記指示に基づいて、前記第１の放送装置から受信したデジタル放送の表示から、前記第２の放送装置から受信したデジタル放送の表示へ切り替えるように前記表示部を制御する、
ことを特徴とする。
【００２８】
また、本発明のさらなる実施態様によるデジタル放送受信装置は、
同一のサービスを、第１の放送装置が第１の物理周波数で放送し、第２の放送装置が第２の物理周波数で放送すると共に、前記第２の放送装置では、前記サービスとは異なるサービスを放送しているデジタル放送システムのデジタル放送受信装置であって、
同一のサービスを放送する前記第１の物理周波数と前記第２の物理周波数とを示す情報を、同一のチャンネル番号に対応付けて格納する記憶部と、
デジタル放送を受信するたびに、該受信に対応する物理周波数を示す情報を記録する記録部と、
表示部と、
デジタル放送の受信を終了してから新たにデジタル放送の受信を開始する際に、前記記録部に記録されている情報が、前記第１の物理周波数を示している場合は、該第１の物理周波数を示す情報に基づいてデジタル放送を受信するように制御すると共に、前記第１の物理周波数のチャンネル番号に対応付けられた前記記憶部に格納している前記第２の物理周波数を示す情報に基づいてデジタル放送を受信するように制御し、前記第２の物理周波数を示す情報に基づいてデジタル放送を受信した場合、前記第２の放送装置でデジタル放送を受信することが可能である旨を前記表示部に表示するように制御する制御部と、
を具えることを特徴とする。
【００２９】
また、本発明のさらなる実施態様によるデジタル放送受信装置は、
同一のサービスを、第１の放送装置が第１の物理周波数で放送し、第２の放送装置が第２の物理周波数で放送すると共に、前記第２の放送装置では、前記サービスとは異なるサービスを放送しているデジタル放送システムのデジタル放送受信装置であって、
同一のサービスを放送する前記第１の物理周波数と前記第２の物理周波数とを示す情報を、同一のチャンネル番号に対応付けて格納する記憶部と、
表示部と、
前記第１の放送装置のデジタル放送を受信している際に、前記第２の放送装置のデジタル放送を受信する指示を検出すると、前記第１の物理周波数のチャンネル番号に対応付けられた前記記憶部に格納されている前記第２の物理周波数を示す情報に基づいてデジタル放送を受信するように制御すると共に、該受信に成功した場合は、前記第２の放送装置でデジタル放送を受信することが可能である旨を前記表示部に表示するように制御する制御部と、
を具えることを特徴とする。
【００３０】
また、本発明のさらなる実施態様によるデジタル放送受信装置は、
前記制御部が、
前記指示を検出しても、前記第１の放送装置のデジタル放送の表示を維持するように前記表示部を制御する、
ことを特徴とする。
【００３１】
また、前記物理周波数を、物理チャンネルとすることが好適である。或いは、前記物理周波数を、ＯＦＤＭセグメントを示す情報とすることが好適である。
【００３２】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。
【００３３】
一例を挙げれば、本発明を方法として実現させた、別の実施態様によるデジタル放送受信装置の制御方法は、
同一のサービスを第１の物理周波数帯域と第２の物理周波数帯域とで放送すると共に、前記第２の物理周波数帯域では、前記サービスとは異なるサービスを放送しているデジタル放送システムのデジタル放送受信装置の制御方法であって、
同一のサービスを放送する前記第１の物理周波数帯域と前記第２の物理周波数帯域とを示す情報を、同一のチャンネル番号に対応付けて記憶部に格納するステップと、
表示部に表示するステップと、
前記第１の物理周波数帯域を示す情報に基づいてデジタル放送を受信している際に、当該デジタル放送の受信品質が劣化すると、前記第１の物理周波数帯域のチャンネル番号に対応付けられた、前記記憶部に格納されている前記第２の物理周波数帯域を示す情報に基づいて、デジタル放送の受信を試行し、該受信に成功した場合は、前記第２の物理周波数帯域でデジタル放送を受信している旨を前記表示部に表示するように制御する制御ステップと、
を具えることを特徴とするデジタル放送受信装置。
【発明の効果】
【００３４】
本発明によれば、同一のサービスを放送する複数の物理周波数を示す情報を、同一のチャンネル番号に対応付け、これを利用することによって、チャンネルスキャンをする必要も無く、放送局のウェブサイトへのアクセスや、チャンネル内のセグメントスキャンなどの無駄な処理や、通信費を要することなく、受信装置において、多種多様な放送局間におけるデジタル放送の受信切り替えをスムーズかつシームレスに行ったり、別の放送装置や周波数帯域などで受信可能であることを通知したりすることが可能となり、ユーザの利便性が格段に向上する。
【発明を実施するための最良の形態】
【００３５】
以降、諸図面を参照しながら、本発明の実施態様を詳細に説明する。最初に用語を説明する。「独自放送（サービス）(独自番組/自主番組)」とは、既存の放送局以外で作成されたサービス（番組）のことである。例えば、商店街や遊園地、美術館など限られたエリアや施設の情報を提供するサービス（番組）である。
【００３６】
図１は、本発明が適用される受信装置およびこれに放送波を提供する放送装置から構成される放送システムの構成図である。図に示すように、この放送システムは、受信装置１００、および放送装置２００，３００，４００から構成される。放送装置２００，４００は、一般的なデジタル放送システムの放送装置であり、１セグメント放送、即ち、１セグメント単独で受信可能である部分受信用のセグメントを使用したデジタル放送、および１２セグメントを使用した地上波テレビ用のデジタル放送を行っている。本発明による受信装置１００は、放送装置２００がカバーする受信エリア内では、放送装置２００から放送されるデジタル放送を受信することが可能である。本デジタル放送システムでは、放送装置２００と放送装置３００とが、同一のサービスを放送しているが、放送装置２００が使用している物理周波数帯域と、放送装置３００が使用している物理周波数帯域とは異なるものである。即ち、放送装置２００から放送されるサービスの全て或いは一部が、放送装置３００から、放送装置２００が使用する物理周波数帯域とは別の物理周波数帯域を用いて放送される。また、放送装置３００は、放送装置２００が放送するサービスとは異なるサービス、例えば、独自放送（独自番組／自主番組）も放送している。受信装置１００が、例えば、地下街などに入った場合に、放送装置２００からのデジタル放送が弱電界や圏外になり、受信継続が困難になる。逆に、地下街から地上に出て、放送装置３００からのデジタル放送が弱電界や圏外になり、受信継続が困難になる場合も発生する。このような場合は、受信装置１００は、放送装置２００のデジタル放送の受信と、放送装置３００のデジタル放送の受信とをチャンネルリスト、即ち、チャンネルテーブル（後で詳細に説明する）に基いてシームレスに切り替える。
【００３７】
或いは、受信装置１００が、例えば、放送装置２００から遠く離れてデジタル放送が弱電界や圏外になり、受信継続が困難になり、放送装置４００がカバーするエリアに入るケースも発生する。このような場合にも、受信装置１００は、放送装置２００のデジタル放送の受信と、放送装置４００のデジタル放送の受信とを地域別のチャンネルリスト、即ち、チャンネルテーブル（後で詳細に説明する）に基いてシームレスに切り替える。
【００３８】
図２は、放送装置３００のブロック図である。図に示すように、放送装置３００は、光ファイバから入力されるチャンネルの数に対応する数の受信部、即ち、ｃｈＡ受信部３１０Ａ、ｃｈＢ受信部３１０Ｂ、ｃｈＺ受信部３１０Ｚを具える。放送装置３００は、多重化処理部３２０、変調部３３０、送信部３４０、およびアンテナ３５０をさらに具える。ｃｈＡ受信部３１０Ａ、ｃｈＢ受信部３１０Ｂ、ｃｈＺ受信部３１０Ｚは、ＴＳ信号受信部３１２Ａ，３１２Ｂ，３１２Ｚ、サービス情報抽出部３１４Ａ，３１４Ｂ，３１４Ｚをそれぞれ具える。
【００３９】
ｃｈＡ受信部３１０Ａ、３１０Ｂは、本実施の形態では、既存の物理チャンネルの放送局に対応している。ここでは、便宜上、例えば、ｃｈＡ受信部３１０Ａは、物理チャンネルｃｈＡのＡＡＡテレビに対応し、ｃｈＢ受信部３１０Ｂは、物理チャンネルｃｈＢのＢＢＢテレビに対応するものとする。ｃｈＡ受信部３１０ＡのＴＳ信号受信部３１２Ａは、対応する放送局のコンテンツ記憶装置などから光ファイバなどの伝送手段を介して伝送されてくるｃｈＡ ＴＳ信号を受信し、サービス情報抽出部３１４ＡでＴＳ信号に含まれるサービス情報を抽出する。ｃｈＢ受信部３１０Ｂも、ｃｈＢ ＴＳ信号に対して同様の処理をそれぞれ行う。また、ｃｈＺ受信部３１０Ｚは、放送装置３００の独自放送（サービス）に対応している。ｃｈＺ受信部３１０ＺのＴＳ信号受信部３１２Ｚは、対応するコンテンツ記憶装置などから光ファイバなどの伝送手段を介して伝送されてくるｃｈＺ ＴＳ信号を受信し、サービス情報抽出部３１４ＺでＴＳ信号に含まれるサービス情報を抽出する。サービス情報抽出部３１４Ａ，３１４Ｂ，３１４Ｚは、ＴＳ信号受信部３１０Ａ，３１０Ｂ，３１０Ｚから供給されるＴＳ信号からサービス情報を抽出し、その抽出したサービス情報をガイドｃｈ作成部３５０へ供給する。
【００４０】
多重化処理部３２０は、各チャンネルの部分受信用のＴＳ信号を、あらかじめ設定されたセグメント配置に基づき多重化する。このときデジタル放送の信号に適合するように制御信号などを追加する。変調部３３０は、多重化された信号をＯＦＤＭ信号に変換し送信部３４０に送る。送信部３４０は、ＯＦＤＭ信号を設定された値まで増幅しアンテナ３５０から出力する。
【００４１】
図３は、放送装置３００が送信するチャンネルのセグメント構成を示す図である。通常の放送局である放送装置３００は、図の上段に示すように、物理チャネル毎の中央のセグメント番号０を部分受信用のセグメントである１セグ放送に使用している。放送装置３００は、部分受信用のセグメント番号０の各サービスを１つの物理チャンネル内で連結放送する。また、放送装置３００は、独自番組を部分受信用のセグメントとして未使用のセグメント（例えば図３のセグメント番号１０）に配置することもできる。中央のセグメント番号０には、独自番組が配置されている。図３の下段のセグメント７が未使用であるように、各サービス（チャンネル）は完全に隙間なく連結しなくてもよく、このような形式も便宜上、連結放送と呼ぶものとする。
【００４２】
図４は、本発明の一実施態様による受信装置のブロック図である。図に示すように、受信装置１００は、制御部１１０、チューナ部１２０、復調部１３０、音声デコーダ部１４０、映像デコーダ部１５０、データ放送デコーダ部１６０、画面制御部１７０、メモリ１８０、記録部１８５、および入力部１９０を具える。また、受信装置１００は、アンテナＡＮＴ、システムバスＳＢ、スピーカＳＰ、および画面表示部ＤＩＳをさらに具える。
【００４３】
受信装置１００における放送装置３００の放送の表示までの動作を簡単に説明する。受信装置１００を携行するユーザは、放送装置３００から送信される放送波が受信できるエリアにいるものとする。
１．ユーザは、所定のチャンネルを選局操作する、または受信装置の起動時にラストチャンネルに基いて選局処理を開始する。
２．チャンネルリスト（後述する）に基いて選局操作に対応するチャンネルの周波数を検索する、又はチャンネルスキャンを行い、選局操作に対応するチャンネルの周波数を検索する。
３．制御部１１０において検索して抽出した周波数をチューナ部１２０に通知する。
４．チューナ部１２０において指定された周波数でチューニングする。
【００４４】
受信装置１００の各部の機能を詳細に説明する。受信装置１００は、デジタル放送の信号をアンテナＡＮＴで受信し、受信したＲＦ信号は、装置全体の制御を司る制御部１１０からの周波数（チャンネル）指定命令に基づいてチューナ部１２０でチューニングされる。チューナ部１２０で周波数変換されたチャンネル信号は復調部１３０でＭＰＥＧのＴＳ(Transport Stream)信号に復調し、ＴＳ信号内のパケットＩＤに基づいて音声パケット、映像パケット、データ放送パケットを検出し、それぞれのパケットを音声デコーダ部１４０、映像デコーダ部１５０、データ放送デコーダ部１６０に出力する。音声デコーダ部１４０は、音声データをデコードし、スピーカＳＰに出力する。映像デコーダ部１５０は映像データをデコードし画面制御部１７０に出力する。データ放送デコーダ部１６０は受信したＢＭＬを元に画面イメージを作成し画面制御部１７０に出力する。ユーザが入力部１９０を用いて、所望のサービス（番組）をクリックして選択すると、制御部１１０は、ＢＭＬから当該サービスを放送しているセグメント番号を割り出し、当該セグメント番号の周波数にチューニングするようにチューナ部１２０を制御する。また、データ放送デコーダ部１６０は、受信したＢＭＬから番組表を取り出し、メモリ１８０に格納する。メモリ１８０は、ＢＭＬやこれから取り出した、或いは作成した番組表を格納する。記録部１８５は、ラストチャンネル（最後の受信チャンネル）を格納する。なお、メモリ１８０は、記録部１８５の１つの記憶領域としてもよい。画面制御部１７０は、映像デコーダ部１５０、および、データ放送デコーダ部１６０から出力されたデータを制御部１１０からの命令に基づいて画面表示部ＤＩＳに出力する。ここで、番組表は、サービスＩＤやネットワークＩＤ（放送局名）と、これに関連付けられた物理周波数（この例では、セグメント番号、或いは、物理チャンネルとセグメント番号のセットである）とを含む。
【００４５】
また、メモリ１８０は、チャンネルテーブル（チャンネルリスト）、デジタル放送の受信品質の劣化を検出するための閾値を格納している。記録部１８５は、前回の受信時において最後に受信したチャンネル「ラストチャンネル」を記憶する機能を持つ。チャンネルリストには、選局するために必要な情報が記録されており、具体的には、親局およびその親局と同一のサービスを放送する放送装置にて送出されている放送の放送局、物理周波数（例えば、物理チャンネルやセグメント）、論理チャンネル（チャンネル番号）に関する情報が含まれている。この情報は通信やチャンネルスキャンによって作成または取得または更新可能である。この実施態様では、チャンネルリストに、あらかじめ親局とその親局と同一のサービスを放送する放送装置である、例えば放送装置３００のチャンネル情報が登録されているものとする。また、チャンネルリストは、図５、図６のように放送エリア（例えば首都圏・中部・関西などの地域）ごとに存在する。本発明による受信装置では、チャンネルリストを参照することで、チャンネルスキャンをする必要も無く、シームレスに受信対象の放送局の切り替えたり、それが受信可能であることを通知したるりすることができる。また、放送局・放送内容（ネットワークＩＤやサービスＩＤ）が等しいということで、親局とギャップフィラーの情報を直接関連付けることが可能なため、１つのチャンネルリストに親局とギャップフィラーの情報をまとめて載せることができ、相互の情報のすばやい参照が可能となる。独自放送の情報をチャンネルリストに格納することによって、ユーザに独自放送がある旨を通知することが可能となる。なお、ギャップフィラーとは、電波の届きにくい地域や場所にアンテナや漏洩ケーブルなどを使用して電波を連結する設備のことである。本実施態様では、ギャップフィラーは、放送装置３００のように地下街や商店街などの限られたエリアに放送するために使用する。制御部１１０は、他の構成部と協働して、デジタル放送の受信品質を検出する。また、画面表示部ＤＩＳは、受信した放送を表示したり、独自放送のある周波数帯を受信できること／受信していること、独自放送を放送する放送装置の放送を受信できること／受信ししていることを表示する。
【００４６】
図５は、第１のチャンネルリスト（チャンネルテーブル）を示す図である。図に示すように、チャンネルリストはエリア別にあり、この例では、首都圏用チャンネルリストＬ１、中部用チャンネルリストＬ２、関西用チャンネルリストＬ３がある。ここでは、物理周波数を、物理チャンネルとセグメントとのセットで規定している。例えば、首都圏用チャンネルリストＬ１の放送局ＭＨＫは、論理チャンネル（チャンネル番号）１であり、この論理チャンネル１には、首都圏の放送装置（親局、放送装置２００に相当する）の物理チャンネル２５とセグメント番号０とのセット、首都圏と同一サービスを放送する放送装置３００の物理チャンネル５０とセグメント番号３とのセットが、それぞれ関連付けられている。この例の放送装置３００は、物理チャンネル５０に、複数の部分受信可能なセグメントを連結して放送している。このように、１つの論理チャンネルに複数の放送局（放送装置）から送信される、複数の物理周波数を示す情報（物理チャンネルとセグメント番号とのセット）を関連付けておけば、放送局や受信する周波数が変化しても、画面表示上は同じ論理チャンネルの番号が表示されることとなる。
【００４７】
図６は、第２のチャンネルリストを示す図である。図に示すように、チャンネルリストはエリア別にあり、この例では、関東用チャンネルリストＬ４、中部用チャンネルリストＬ５、関西用チャンネルリストＬ６がある。ここでは、物理周波数を、周波数そのもので規定している。例えば、関東用チャンネルリストＬ１の放送局ＭＨＫは、論理チャンネル（チャンネル番号）１であり、この論理チャンネル１には、関東の放送装置（親局、放送装置２００に相当する）の周波数５７５ＭＨｚ、親局と同一サービスを放送する放送装置３００の周波数７１３ＭＨｚが、それぞれ関連付けられている。この例の放送装置３００は、別個の物理周波数（物理チャンネル）で、各論理チャンネル用のサービス（番組）を放送している。これらのチャンネルリストは、工場出荷時にメモリや記録部に格納してもよいし、後で、デジタル放送や、ＳＭＳ(Short Message Service)メッセージなどの通信手段などを介して取得したり、更新したりしてもよい。
【００４８】
＜実施態様１＞
図７は、テレビ起動後に放送装置３００の放送しかない場合の受信装置１００の動作を示すフローチャートである。ここでは、受信装置１００を携行するユーザが、図１のような通常の放送装置２００のデジタル放送を受信できるエリアではなく、放送装置３００からの放送を受信できるエリアに位置するケースを想定する。図１２の（ａ）にこのパターン１における画面遷移図を示す。図に示すように、ステップＳ１０１にて、テレビを起動する。この起動を受けて、制御部１１０は、チューナ部１２０が、ラストチャンネルとして登録されている放送装置２００の放送チャンネルＡを選局するように制御する。これを受けたチューナ部１２０は、チャンネルＡにチューニングする（ステップＳ１０２）。次に、ステップＳ１０３にて、チャンネルＡが存在する、即ち、受信できるか否かを電界強度などを用いて判定する。チャンネルＡが受信できる場合は、チャンネルＡを表示する（ステップＳ１０４）。この後、チャンネルＡ受信中は常に受信品質（受信感度や受信映像品質など）を監視し、受信品質が任意の閾値Ｎより小さくなった場合は、チャンネルリストに基いてチャンネルＡのチャンネル番号（物理チャンネル）に対応付けられた放送装置３００の物理周波数（物理チャンネルやセグメント）などを選択する（ステップＳ１０６）。ステップＳ１０３にてチャンネルＡが受信できなかったときも、ステップＳ１０６に進み、チャンネルリストに基いてチャンネルＡのチャンネル番号（物理チャンネル）に対応付けられた放送装置３００の物理周波数を選択する。
【００４９】
次に、選択した物理周波数の情報を取得し（ステップＳ１０７）、取得した情報からチャンネルＡと同じサービスＩＤのチャンネルＰ（この例では、ある物理チャンネル内の特定の位置のセグメント番号となる。）を選局し（ステップＳ１０８）、選局が成功した場合（ステップＳ１０９）、チャンネルＰを表示し（ステップＳ１１１）、放送装置３００の放送を示すマークを表示・点滅する（ステップＳ１１２）。また、チャンネルＰを受信・表示しているときは、これをユーザに通知する放送装置３００の放送を示すマークを表示して、処理を終える。放送装置３００の放送を示すマークの表示には、放送装置３００の放送が受信可能である旨のみを示す、非強調表示と、放送装置３００の放送が受信可能であり、かつ、画面に放送装置３００の放送を表示している旨を示す強調表示があり、ステップＳ１１２では、放送装置３００の放送を示すマークを点灯（輝度増大）、点滅することによって、強調表示させてある。
【００５０】
ステップＳ１０９にて選局に失敗した場合、ステップＳ１１０に進み、放送装置３００のチャンネル（セグメントも含む）に関するチャンネルスキャンを行い（ステップＳ１１０）、このチャンネルスキャンに成功しなかった場合は、「受信できません」と受信できない旨（メッセージ）を表示して（ステップＳ１１３）、処理を終える。成功した場合は、チャンネルＰを表示し（ステップＳ１１１）、放送装置３００の放送を示すマークを表示・点滅して（ステップＳ１１２）、処理を終える。
【００５１】
図１２の（ａ）に示すように、パターン１の場合は、「待受画面」から、「選局中」、「番組（視聴中）」に画面が次第に遷移してゆき、ユーザの操作を介することなく、スムーズに放送装置３００の放送に移行することができる。また、画面には、放送装置３００の放送を示すマークＭＫ１を表示・点滅するため、ユーザは、自分が視聴している放送が、通常の放送とは異なる「放送装置３００の放送である」ことを容易に把握することが可能となる。
【００５２】
＜実施態様２＞
図８は、受信装置１００が放送装置２００のチャンネルから放送装置３００のチャンネルへ切り替える動作フロー（パターン２）を示すフローチャートである。ここでは、受信装置１００を携行するユーザが、図１のような通常の放送装置２００のデジタル放送のチャンネルＡを受信できるエリアから、放送装置３００からの放送を受信できるエリアへ次第に移動し、チャンネルＡの受信品質が悪くなるケースを想定する。図１２の（ｂ）にこのパターン２における画面遷移図を示す。図８に示すように、ステップＳ２０１にて、放送装置２００のチャンネルＡを受信して表示している。ステップＳ２０１の後、チャンネルＡ受信中は常に受信品質を監視し、受信品質が任意の閾値Ｎより小さくなった場合は、チャンネルリストに基いてチャンネルＡのチャンネル番号（物理チャンネル）に対応付けられた放送装置３００の物理周波数（物理チャンネルやセグメント）などを選択する（ステップＳ２０３）。
【００５３】
次に、選択した物理周波数の情報を取得し（ステップＳ２０４）、取得した情報からチャンネルＡと同じサービスＩＤのチャンネルＰ（この例では、ある物理チャンネル内の特定の位置のセグメント番号となる。）を選局し（ステップＳ２０５）、選局が成功した場合（ステップＳ２０６）、チャンネルＰを表示し（ステップＳ２０８）、放送装置３００の放送を示すマークを表示・点滅する（ステップＳ２０９）。ステップＳ２０６にて選局に失敗した場合、ステップＳ２０７に進み、放送装置３００のチャンネル（セグメントを含む）に関するチャンネルスキャンを行う。チャンネルスキャンに成功しなかった場合は、ステップＳ２１０に進み、「受信できません」と受信できない旨（メッセージ）を表示して、処理を終える。成功した場合は、チャンネルＰを表示し（ステップＳ２０８）、放送装置３００の放送を示すマークを表示・点灯して（ステップＳ２０９）、処理を終える。
【００５４】
図１２の（ｂ）に示すように、パターン２の場合は、「チャンネルＡの視聴中」から、「チャンネルＰの視聴中」に画面が遷移し、ユーザの操作を介することなく、スムーズに放送装置３００の放送に移行することができる。また、画面には、放送装置３００の放送を示すマークＭＫ２を表示・点滅するため、ユーザは、自分が視聴している放送が、放送装置２００の通常の放送とは異なる「放送装置３００の放送である」ことを容易に把握することが可能となる。
【００５５】
＜実施態様３＞
図９は、受信装置１００が放送装置２００のチャンネルから放送装置３００のチャンネルへ手動で切り替える動作フロー（パターン３）を示すフローチャートである。ここでは、受信装置１００を携行するユーザが、図１のような通常の放送装置２００のデジタル放送を受信中に、入力部１９０に設けた図示しない放送装置３００の放送受信ボタン（放送装置３００の放を受信する機能を割り当てたボタン）を押下することによって、放送装置３００からの放送に切り替えるケースを想定する。図１２の（ｃ）にこのパターン３における画面遷移図を示す。図９に示すように、ステップＳ３０１にてチャンネルＡ表示中）に、ユーザが放送装置３００の放送受信ボタンを押下すると（ステップＳ３０２）、チャンネルリストに基いてチャンネルＡのチャンネル番号（物理チャンネル）に対応付けられた放送装置３００の物理周波数（物理チャンネルやセグメント）などを選択する（ステップＳ３０３）。その後、選択した物理周波数の情報を取得し（ステップＳ３０４）、取得した情報からチャンネルＡと同じサービスのチャンネルＰを選局し（ステップＳ３０５）、選局が成功した場合（ステップＳ３０６）、チャンネルＰを表示し（ステップＳ３０８）、放送装置３００の放送を示すマークを表示・点滅する（ステップＳ３０９）。選局に失敗した場合（ステップＳ３０６）、放送装置３００のチャンネル（セグメントを含む）に関するチャンネルスキャンを行い（ステップＳ３０７）、成功しなかった場合は、ステップＳ３１０に進み、「受信できません」など受信できない旨を表示し、チャンネルＡを表示して（ステップＳ３１１）、処理を終える。成功した場合は、チャンネルＰを表示し（ステップＳ３０８）、放送装置３００の放送を示すマークを表示・点滅して（ステップＳ３０９）、処理を終える。
【００５６】
図１２の（ｃ）に示すように、パターン３の場合は、「チャンネルＡの視聴中」から、「チャンネルＰの視聴中」に画面が遷移し、ユーザの操作に応じて、スムーズに放送装置３００のの放送に移行することができる。また、画面には、放送装置３００の放送を示すマークＭＫ３を表示・点滅するため、ユーザは、自分が視聴している放送が、放送装置２００の通常の放送とは異なる「放送装置３００の放送である」ことを容易に把握することが可能となる。
【００５７】
図１０は、受信装置１００が放送装置３００のチャンネルから放送装置２００のチャンネルへ切り替える動作フロー（パターン４）を示すフローチャートである。ここでは、テレビ起動後に、放送装置２００の通常の地上デジタル放送と、放送装置３００の放送とがどちらも視聴可能なエリアにいるケースを想定する。また、ユーザが最後に視聴した放送装置３００の放送のチャンネル（説明ではチャンネルＡ）がラストチャンネルとして記録部１８５に格納されているものとする。図１３の（ａ）にこのパターン４における画面遷移図を示す。図１０に示すように、ステップＳ４０１にてテレビを起動すると、記録部１８５に格納されている前回のテレビ起動時に最後に視聴したチャンネルＡを選局し、選局結果をメモリ１８０に保存する（ステップＳ４０２）。次に、チャンネルリストに基いてチャンネルＡのチャンネル番号（物理チャンネル）に対応付けられた放送装置３００の物理周波数（物理チャンネルやセグメント）などを選択し（ステップＳ４０３）、選択した物理周波数の情報を取得する（ステップＳ４０４）。選局結果からチャンネルＡが受信可能である場合は（ステップＳ４０５）、チャンネルＡを表示する（ステップＳ４０６）。ステップＳ４０４で取得した情報からチャンネルＰの受信ができている場合（ステップＳ４０７）、放送装置３００の放送を示すマークを表示（非点滅、非点灯）して（ステップＳ４０８）、処理を終える。受信できなければ（ステップＳ４０７）、チャンネルＡ表示中のままとする。ステップＳ４０２の選局結果からチャンネルＡが受信不可能である場合（ステップＳ４０５）、ステップＳ４０４で取得した情報に基づいてチャンネルＡと同じサービスのチャンネルＰがあるかどうかを判定する（ステップＳ４０９）。対応するチャンネルＰがあれば、チャンネルＰを選局し（ステップＳ４１０）、選局が成功した場合（ステップＳ４１１）、チャンネルＰを表示し（ステップＳ４１３）、放送装置３００の放送を示すマークを表示・点滅して（ステップＳ４１４）、処理を終える。選局に失敗した場合（ステップＳ４１１）、チャンネルスキャンを行い（ステップＳ４１２）、放送装置３００のチャンネル（セグメントを含む）に関するチャンネルスキャンに成功しなかった場合は、ステップＳ４１５に進み、「受信できません」と受信できない旨（メッセージ）を表示して、処理を終える。成功した場合は、チャンネルＰを表示し（ステップＳ４１３）、放送装置３００の放送を示すマークを表示・点滅して（ステップＳ４１４）、処理を終える。
【００５８】
図１３の（ａ）に示すように、パターン４においてステップＳ４０８に至る場合は、「待受画面」から、「選局中」、「放送装置２００の通常のデジタル放送の番組（視聴中）」に画面が次第に遷移してゆき、ユーザの操作を介することなく、スムーズに番組を視聴すると共に、画面には、放送装置３００の放送を示すマークＭＫ４を表示させてあるため、ユーザは、自分が視聴している放送が、放送装置２００の通常の放送ではあるが、この通常の放送（サービス）に相当する「放送装置３００の放送も視聴可能」であり、放送装置３００の放送に移行可能であることを容易に把握することができる。
【００５９】
図１１は、受信装置１００が放送装置２００のチャンネルから放送装置３００のチャンネルへ切り替えることが可能か否かを検査する動作フロー（パターン５）を示すフローチャートである。ここでは、受信装置１００を携行するユーザが、図１のような通常の放送装置２００のデジタル放送を受信中に、入力部１９０に設けた図示しない放送装置３００の放送受信ボタン（放送装置３００の放送を受信する機能を割り当てたボタン）を押下することによって、「放送装置３００からの放送が受信可能か否かのみを検査する」ケースを想定する。図１３の（ｂ）にこのパターン５における画面遷移図を示す。図１１に示すように、ステップＳ５０１にて、放送装置２００のチャンネルＡを受信して表示している。ステップＳ５０１の後、チャンネルＡ受信中において、入力部１９０に設けた放送装置３００の放送受信ボタン（図示せず）を押下する（ステップＳ５０２）。このボタン押下を検知した制御部１１０は、チャンネルリストに基いてチャンネルＡのチャンネル番号（物理チャンネル）に対応付けられた放送装置３００の物理周波数（物理チャンネルやセグメント）などを選択し（ステップＳ５０３）、選択した物理周波数の情報を取得する（ステップＳ５０４）。取得した情報からチャンネルＡと同じサービスのチャンネルＰを選局する（ステップＳ５０５）。選局が成功した場合は（ステップＳ５０６）、チャンネルＡを表示し（ステップＳ５０８）、さらに、放送装置３００の放送を示すマークを表示（非点滅、非点灯）して（ステップＳ５０９）、処理を終える。成功しなかった場合は、ステップＳ５１０に進み、「受信できません」など受信できない旨を表示し、チャンネルＡを表示して（ステップＳ５１１）、処理を終える。もちろん、この場合は放送装置３００の放送を示すマークを表示しない。
【００６０】
図１３の（ｂ）に示すように、パターン５の場合は、「チャンネルＡの視聴中」の画面から、「放送装置３００の放送の番組」が視聴可能である旨を通知する画面が遷移し、ユーザの操作に応じて、現在視聴しているチャンネルＡの番組を表示させながら、バックグランドで「放送装置３００の放送が視聴可能である」ことを検査して、ユーザに通知することができる。即ち、画面には、放送装置３００の放送を示すマークＭＫ５を表示するため、ユーザは、放送装置２００の通常の放送とは異なる「放送装置３００の放送が視聴可能である」ことを容易に把握することが可能となる。
【００６１】
放送装置３００の放送を示すマークＭＫ１−ＭＫ５は、通常のデジタル放送を行っている放送装置２００とは、異なる放送装置３００からのデジタル放送を受信していることを示す表示とすることも可能である。この場合は、放送局のネットワークＩＤなども併せて表示したり、放送装置３００を設置している機関や施設名の情報（例えば、ｙｙｙビル、ｘｘｘ遊園地）を表示したりしてもよい。放送装置３００の放送を示すマークＭＫ１−ＭＫ５は、通常のデジタル放送を行っている放送装置２００とは、異なる放送装置３００からのデジタル放送を受信していることを示す表示とすることも可能である。この場合は、放送局のネットワークＩＤなども併せて表示したり、放送装置３００を設置している機関や施設名の情報（例えば、ｙｙｙビル、ｘｘｘ遊園地）を表示したりしてもよい。また、放送装置３００の放送を示すマークＭＫ１−ＭＫ５は、通常のデジタル放送の周波数帯域とは異なる周波数帯域で、通常のサービスと同一のサービスを放送したり、独自のサービスを放送したりするデジタル放送システムの場合、「放送装置３００の放送を示すマークＭＫ１−ＭＫ５の代わりに「通常のデジタル放送の周波数帯域とは異なる周波数帯域（第２周波数帯域）を示すマーク」を、表示とすることも可能である。この場合は、物理チャンネル番号やセグメント番号などを具体的に表示したり、周波数帯域や周波数そのものを併せて表示したりしてもよい。
【００６２】
最後に、本発明の各実施態様の効果をまとめると以下のようになる。
１．放送装置２００の地上デジタル放送を受信できない状況（例：エリア外）になった場合、放送装置３００が放送するような他の放送波を探索する手段を設ける。放送装置３００の放送を独自に探索し受信する手段として、放送装置３００の放送のチャンネルスキャンに限り、セグメント０にチューニングするのではなく、確実に他のセグメントもチューニングする。従って、放送装置３００の放送が存在し、受信可能な状態であるのにも関わらず、受信不可能と判断してしまうことがない。
２．現状の地上デジタル放送は地域毎のチャンネルスキャン結果をプリセットとして受信端末内に保持しているため、ユーザはチャンネルスキャンを行わずとも現在の地域を設定するだけで、地上デジタル放送を受信することができる。放送装置３００の放送の場合もキー局となるチャンネルに関しては、地域毎の放送装置３００の放送用の物理周波数の情報を受信端末内に保持することで、チャンネルスキャンを行わずとも、放送装置３００の放送波を受信することができる。
【００６３】
３．また、本発明のチャンネルリストを放送装置２００の地上デジタル放送受信エリアから放送装置３００の放送受信エリアへ移動してきた際の変換テーブルとして利用することで、ユーザ操作を必要としないままスムーズに放送装置２００の地上デジタル放送から放送装置３００放送へと切り替えることができる。
４．また、受信装置の出荷当初には親局と同一のサービスを放送する放送装置が設置せれたいなかったたが、その後、このような放送装置が設置された場合も考慮し、プリセットがない場合（記憶部に情報がない場合）は、物理チャンネルやそのセグメントをチャンネルスキャンを実施することによって、プリセットがない場合も、新しく設置された放送装置の放送波を受信することができる。なお、取得した情報はチャンネルリストに対応付けて格納すると良い。
５．また、放送装置３００の放送受信中は常に放送装置３００の放送受信中を示す表示を行うため、ユーザは放送装置３００の放送を受信していることが容易に判断できる。
６．さらに放送装置３００放送を受信していることがわかれば、ユーザは放送装置３００放送に含まれる他のチャンネルを選局するきっかけとなりえる。
７．また起動時に放送装置２００の地上デジタル放送と放送装置３００の放送を交互受信し、地上デジタル放送表示中も放送装置３００の放送が受信可能であることをユーザに通知することができる。上記１−７の効果を２つの放送装置で同一のサービスを放送するとともに、放送装置３００が独自放送を行うデジタル通信システムを例にして説明したが、同一のサービスを第１の周波数帯域と第２の周波数帯域とで放送するとともに、第２の周波数帯域で独自放送を行うデジタル通信システムの場合も同様の効果を有するものでる。つまり、第２の周波数帯域を受信してること、或いは受信可能であることを表示したりすることで、独自サービスの存在をユーザに通知することができる。
【００６４】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各部、各手段、各ステップなどに含まれる機能などは論理的に矛盾しないように再配置可能であり、複数の手段やステップなどを１つに組み合わせたり、或いは分割したりすることが可能である。
【００６５】
図１、図２に示した放送装置３００は、光ファイバでＴＳ信号を受ける構成で説明したが、放送装置３００はこれに限定されず、例えば、受信用アンテナを設けて、これを用いて他の放送装置からＲＦ信号を受信する中継装置やギャップフィラー装置として構成してもよい。
【図面の簡単な説明】
【００６６】
【図１】本発明が適用される受信装置およびこれに放送波を提供する放送装置から構成される放送システムの構成図である。
【図２】放送装置３００のブロック図である。
【図３】放送装置３００が送信するチャンネルのセグメント構成を示す図である。
【図４】本発明の一実施態様による受信装置のブロック図である。
【図５】第１のチャンネルリスト（チャンネルテーブル）を示す図である。
【図６】第２のチャンネルリストを示す図である。
【図７】テレビ起動後に放送装置３００の放送しかない場合の受信装置１００の動作を示すフローチャートである。
【図８】受信装置１００が放送装置２００のチャンネルから放送装置３００のチャンネルへ切り替える動作フロー（パターン２）を示すフローチャートである。
【図９】受信装置１００が放送装置２００のチャンネルから放送装置３００のチャンネルへ手動で切り替える動作フロー（パターン３）を示すフローチャートである。
【図１０】受信装置１００が放送装置３００のチャンネルから放送装置２００のチャンネルへ切り替える動作フロー（パターン４）を示すフローチャートである。
【図１１】受信装置１００が放送装置２００のチャンネルから放送装置３００のチャンネルへ切り替えることが可能か否かを検査する動作フロー（パターン５）を示すフローチャートである。
【図１２】パターン１−３における画面遷移図である。
【図１３】パターン４，５における画面遷移図である。
【符号の説明】
【００６７】
１００  受信装置
１１０  制御部
１２０  チューナ部
１３０  復調部
１４０  音声デコーダ部
１５０  映像デコーダ部
１６０  データ放送デコーダ部
１７０  画面制御部
１８０  メモリ
１８５  記録部
１９０  入力部
ＤＩＳ  画面表示部
ＳＢ  システムバス
ＳＰ  スピーカ
ＡＮＴ  アンテナ
Ｌ１−Ｌ６  チャンネルリスト
２００，３００，４００  放送装置
３１０Ａ，３１０Ｂ，３１０Ｚ  ｃｈＡ信号受信部、ｃｈＢ信号受信部、ｃｈＺ信号受信部
３１２Ａ，３１２Ｂ，３１２Ｚ  ＴＳ信号受信部
３１４Ａ，３１４Ｂ，３１４Ｚ  サービス情報抽出部
３２０  多重化処理部
３３０  変調部
３４０  送信部
３５０  アンテナ
【図１】
2008289020.tif 000003
【図２】
2008289020.tif 000004
【図３】
2008289020.tif 000005
【図４】
2008289020.tif 000006
【図５】
2008289020.tif 000007
【図６】
2008289020.tif 000008
【図７】
2008289020.tif 000009
【図８】
2008289020.tif 000010
【図９】
2008289020.tif 000011
【図１０】
2008289020.tif 000012
【図１１】
2008289020.tif 000013
【図１２】
2008289020.tif 000014
【図１３】
2008289020.tif 000015